(57)【特許請求の範囲】
【請求項１】
ワインデカンタ組立体であって、
ボトル本体と、ベース体と、モータユニットとを含み、
前記ボトル本体は、前記ベース体上に配置され、
前記ベース体は、ベース台と、前記ベース台上に設置されるガード台とを含み、
前記ガード台により、ボトル本体を収容する収容室が囲まれて形成され、
前記ボトル本体は、前記収容室内に収容され、
前記ボトル本体の底部には、磁石が設置され、
前記モータユニットは、前記ベース台内に設置され、前記ボトル本体の下方に位置し、
前記ベース台は、ＬＥＤランプユニットを含み、
前記ＬＥＤランプユニットが発する光は、三原色ＲＧＢであり、
前記ベース台には、音声入力インタフェースが設けられ、
前記ガード台には、前記ボトル本体を収容する収容室を囲む両側に鉄網が設けられ、
前記鉄網には、ホーンが設けられ、
撹拌・ＬＥＤ発光・低周波音楽モードにより、
前記磁石は、前記モータユニットの駆動により回転することで、ボトル本体内におけるワインを撹拌してデカンタージュを促進し、
前記ＬＥＤランプユニットが発する光波が前記ボトル本体内におけるワインに対して直接照射されて、デカンタージュ効果を果たし、
前記音声入力インタフェースは低周波音楽を再生し、前記低周波音楽のテンポにより、デカンタージュをさらに加速することを特徴とするワインデカンタ組立体。
【請求項２】
前記ボトル本体は、ボトルと、前記ボトルの底部に設置されるボトル台とを有し、
前記ボトル台内には、回転室が設置され、
前記磁石は、前記回転室に収容されることを特徴とする請求項１に記載のワインデカンタ組立体。
【請求項３】
前記ボトル台の底部には、シリコーンゴムガスケットが設置されることを特徴とする請求項２に記載のワインデカンタ組立体。
【請求項４】
前記収容室の底面には、前記ボトル台と互いに嵌合する凹溝が設けられることを特徴とする請求項２に記載のワインデカンタ組立体。
【請求項５】
前記ベース台は、上ケースと、下ケースと、両者の間のキャビティとを含み、
前記モータユニットは、前記下ケースに設置されるモータ台と、前記モータ台内に収容されるモータと、前記モータに設置されるマグネットと、を含み、
前記キャビティ内には、前記モータに電気的に接続される主回路基板がさらに設けられることを特徴とする請求項１乃至４のいずれか一項に記載のワインデカンタ組立体。
【請求項６】
前記ＬＥＤランプユニットは、前記モータ台上に設置され、ＬＥＤランプパネルと、ＬＥＤランプと、ランプカバーとを含み、
前記ＬＥＤランプパネルは、前記モータ台上に固定設置され、
前記ＬＥＤランプは、前記ランプパネルに均一に分布し、
前記ランプカバーは透明であり、前記ランプパネルを覆い、
前記ＬＥＤランプは、前記主回路基板に電気的に接続されることを特徴とする請求項５に記載のワインデカンタ組立体。
【請求項７】
前記上ケースには、第１貫通孔が設けられ、
凹溝内には、第２貫通孔が設けられ、
前記モータユニット及び前記ＬＥＤランプユニットは前記第１貫通孔に位置することで、前記ＬＥＤランプが前記凹溝に配置されるボトル本体に直接照射することを特徴とする請求項６に記載のワインデカンタ組立体。
【請求項８】
前記ベース台には、タッチユニットがさらに設けられ、
前記タッチユニットは、タッチパネルと、タッチ回路基板と、表示パネルと、表示回路基板とを含むことを特徴とする請求項１に記載のワインデカンタ組立体。
【請求項９】
前記タッチパネルにより、前記撹拌・ＬＥＤ発光・低周波音楽モード、及び、撹拌モード、撹拌・低周波音楽モード、撹拌・ＬＥＤ発光モードから、対応する作動モードが選択されることを特徴とする請求項８に記載のワインデカンタ組立体。
【請求項１０】
前記ベース台の底面には、脚パッドが設けられ、
前記ベース台には、直流電源入力ポートが設けられることを特徴とする請求項１に記載のワインデカンタ組立体。
【発明の詳細な説明】
【技術分野】
【０００１】
本発明は、デカンタージュ装置の技術分野に関し、特に、ワインデカンタ組立体に関する。
【背景技術】
【０００２】
中国実用新案登録第２０４５６１８９４Ｕ号の照明及び音楽付きの赤ワインの急速ワインデカンタでは、照明音楽固定部及びワイン取出管を有する本体を含み、前記照明音楽固定部の内部にＭＰ３プレイヤーが取り付けられ、前記照明音楽固定部の表面にＵＳＢ差込口及び環状のＬＥＤランプが設けられ、前記環状のＬＥＤランプが照明音楽固定部とワイン取出管との連結箇所に設けられる。このようなワインデカンタは、音楽の再生機能やランプの明滅機能を有するため、デカンタージュを実現すると同時に音楽を再生したりランプを明滅させたりすることができ、人々がデカンタージュをしながら音楽やランプの明滅を楽しめ、飲酒の雰囲気を調節し、酒を飲みながら曲を聴くことを両立することができる。
【０００３】
しかしながら、上記の構造は静的なデカンタージュ装置であり、デカンタージュの効果が不十分のうえ、機能が単一である。
【０００４】
このため、上述した従来技術の欠点を解決するために、ワインデカンタ組立体の開発が望まれている。
【発明の概要】
【発明が解決しようとする課題】
【０００５】
本発明の主な目的は、従来技術の上記問題を解消するために、デカンタージュの効果に優れ、多様な機能を有するワインデカンタを提供することである。
【課題を解決するための手段】
【０００６】
上記目的を達成するために、本発明の一実施形態に係るワインデカンタ組立体は、ボトル本体と、ベース体と、モータユニットとを含む。前記ボトル本体は、前記ベース体上に配置される。前記ベース体は、ベース台と、前記ベース台上に設置されるガード台とを含む。前記ガード台により、ボトル本体を収容する収容室が囲まれて形成される。前記ボトル本体は、前記収容室内に収容される。前記ボトル本体の底部には、磁石が設置される。前記モータユニットは、前記ベース台内に設置され、前記ボトル本体の下方に位置する。前記磁石は、前記モータユニットの駆動により回転することで、ボトル本体内におけるワインを撹拌してデカンタージュを促進する。
【０００７】
一実施形態では、前記ボトル本体は、ボトルと、前記ボトルの底部に設置されるボトル台とを有する。前記ボトル台内には、回転室が設置される。前記磁石は、前記回転室に収容される。
【０００８】
一実施形態では、前記ボトル台の底部には、シリコーンゴムガスケットが設置される。
【０００９】
一実施形態では、前記収容室の底面には、前記ボトル台と互いに嵌合する凹溝が設けられる。
【００１０】
一実施形態では、前記ベース台は、上ケースと、下ケースと、両者の間のキャビティとを含む。前記モータユニットは、前記下ケースに設置されるモータ台と、前記モータ台内に収容されるモータと、前記モータに設置されるマグネットと、を含む。前記キャビティ内には、前記モータに電気的に接続される主回路基板がさらに設けられる。
【００１１】
一実施形態では、キャビティ内に収容されるＬＥＤランプユニットをさらに含む。前記ＬＥＤランプユニットは、前記モータ台上に設置され、ＬＥＤランプパネルと、ＬＥＤランプと、ランプカバーとを含む。前記ＬＥＤランプパネルは、前記モータ台上に固定設置される。前記ＬＥＤランプは、前記ランプパネルに均一に分布する。前記ランプカバーは透明であり、前記ランプパネルを覆う。前記ＬＥＤランプは、前記主回路基板に電気的に接続される。前記ＬＥＤランプが発する光は、三原色ＲＧＢである。
【００１２】
一実施形態では、前記上ケースには、第１貫通孔が設けられる。前記凹溝内には、第２貫通孔が設けられる。前記モータユニット及び前記ＬＥＤランプユニットは前記第１貫通孔に位置することで、前記ＬＥＤランプが前記凹溝に配置されるボトル本体に直接照射する。
【００１３】
一実施形態では、前記ベース台には、音声入力インタフェースがさらに設けられる。前記ガード台には、環状の鉄網が設けられる。前記環状の鉄網には、ホーンが設けられる。
【００１４】
一実施形態では、前記ベース台には、タッチユニットがさらに設けられる。前記タッチユニットは、タッチパネル、タッチ回路基板、表示パネル、及び表示回路基板などを含む。
【００１５】
一実施形態では、前記ベース台の底面には、脚パッドが設けられる。
【００１６】
前記ベース台には、直流電源入力ポートが設けられる。
【発明の効果】
【００１７】
本発明は以下通りの効果を奏する。本発明では、前記磁石が前記モータユニットの駆動により回転することで均一な速度でワインを撹拌するとともに、ＬＥＤランプが発する光波がボトル本体内におけるワインに直接照射され、低周波音楽に合わせ、デカンタを促進することができる。また、本発明では、音楽と照明により雰囲気を調節し、良好な視覚や聴覚効果を果たすことで、視覚や聴覚、味覚によりデカンタージュを楽しみ、面白みを向上させることができる。
【図面の簡単な説明】
【００１８】
【図１】本発明に係るワインデカンタ組立体のベース体の構成を示す図である。
【図２】本発明に係るワインデカンタ組立体の構成を示す分解図である。
【図３】本発明に係るワインデカンタ組立体の構成を示す上面図である。
【図４】図３のＡ−Ａ線に沿った断面図である。
【図５】本発明に係るワインデカンタ組立体のボトル本体の構成を示す図である。
【発明を実施するための形態】
【００１９】
以下、本発明を実施するための好適な実施形態について、図面を用いて詳細に説明する。
【００２０】
図１及び図５に示すように、本実施形態に係るワインデカンタ組立体は、ボトル本体１００、ベース体２００及びモータユニット３００を含む。
【００２１】
前記ボトル本体１００は、前記ベース体２００上に配置され、ボトル１１０、前記ボトルの底部に設置されるボトル台１２０及び磁石１３０を有する。前記ボトル台１２０内には、回転室１２１が設置される。前記磁石１３０は、前記回転室１２１に収容される。好適には、前記ボトル台１２０の底部には、シリコーンゴムガスケット１２２が設置される。
【００２２】
前記ベース体２００は、ベース台２１０と、前記ベース台上に設置されるガード台２２０とを含む。前記ガード台２２０により、ボトル本体１００を収容する収容室２２１が囲まれて形成される。デカンタ時に、前記ボトル本体１００は、前記収容室２２１内に収容される。前記ベース台２１０内には、モータユニット２３０が設けられる。前記磁石１３０は、前記モータユニットの駆動により回転することでボトル本体１００内におけるワインを撹拌する。こうすることで、ワインを空気中の酸素に十分に接触させて酸化反応を起こさせ、デカンタ効果を果たす。
【００２３】
好適には、前記収容室２２１の底面には、前記ボトル台１２０と互いに嵌合する凹溝２２２が設けられる。
【００２４】
前記ベース台２１０は、上ケース２１１と、下ケース２１２と、両者の間のキャビティとを含む。前記上ケース２１１及び前記下ケース２１２は、ねじによる連結、かしめ付け、係合などにより連結される。
【００２５】
前記モータユニット３００は、前記ベース台２１０内に収容され、モータ台３１０、モータ３２０及びマグネット３３０を含む。前記モータ台３１０は、前記下ケース２１２に設置される。前記モータ３２０は、前記モータ台３１０内に収容される。前記モータ３２０及び前記モータ台３１０は、前記モータ３２０に設置される柱孔及び前記モータ台３１０に設置される支柱により固定連結される。前記モータ３２０には、マグネット３３０が設けられる。前記キャビティ内には、主回路基板２１４がさらに設けられる。前記主回路基板２１４は、前記モータ３２０に電気的に接続される。
【００２６】
前記ワインデカンタ組立体は、キャビティ内に収容されるＬＥＤランプユニット２１５をさらに含む。前記ＬＥＤランプユニット２１５は、前記モータ台３１０上に設置され、ＬＥＤランプパネル２１５１、ＬＥＤランプ２１５２及びランプカバー２１５３を含む。前記ＬＥＤランプパネル２１５１は、前記モータ台３１０上に固定設置される。前記ＬＥＤランプ２１５２は、前記ランプパネル２１５１に均一に分布する。前記ランプカバー２１５３は透明であり、前記ランプパネル２１５１を覆う。前記ＬＥＤランプ２１５２は、前記主回路基板２１４に電気的に接続される。前記ＬＥＤランプ２１５２が発する光は、三原色ＲＧＢである。ワインに対して前記三原色ＲＧＢの光を照射すると、デカンタ効果を果たすことができる。
【００２７】
前記上ケース２１１には、第１貫通孔２１１１が設けられる。前記凹溝２２２内には、第２貫通孔が設けられる。前記モータユニット３００及び前記ＬＥＤランプユニット２１５は、前記第１貫通孔２１１１に位置する。これにより、前記ＬＥＤランプ２１５２は、前記凹溝２２２に配置されるボトル本体１００に直接照射することができる。
【００２８】
さらに、前記ベース台２１０には、音声入力インタフェース２１６がさらに設けられる。前記ガード台２２０には、環状の鉄網２２４が設けられる。前記環状の鉄網２２４には、ホーン２２５が設けられる。前記音声入力インタフェース２１６は低周波音楽を再生し、低周波音楽のテンポにより、デカンタージュをさらに加速することができる。
【００２９】
好適には、前記ベース台２１０には、タッチユニット２１７がさらに設けられる。タッチユニット２１７は、タッチパネル２１７１、タッチ回路基板２１７２、表示パネル２１７３及び表示回路基板２１７４などを含む。タッチパネル２１７１により、対応する作動モード、例えば、撹拌モード、撹拌・低周波音楽モード、撹拌・ＬＥＤ発光モード、撹拌・ＬＥＤ発光・低周波音楽モードなどを選択することができ、大変利便性が高い。
【００３０】
好適には、前記ベース台２１０には、直流電源入力ポートが設けられる。ワインデカンタ組立体は、直流電源入力ポートにより携帯型電源などの直流電源に接続されてもよく、大変利便性が高い。
【００３１】
好適には、前記ベース台２１０には、ブルートゥース（登録商標）がさらに設けられる。
最後に、上記実施形態は、単に本発明の技術内容を説明するためのものであり、本発明を制限するためのものではないことに理解されたい。上記実施形態を参照して本発明を詳しく説明したが、当業者であれば、本発明の実施形態の技術内容の範囲を逸脱しない限り、上記実施形態に記載されている技術内容を修正したり、技術的特徴を均等物で置換したりできることを理解するであろう。
【図１】
0006578380.tif 000002
【図２】
0006578380.tif 000003
【図３】
0006578380.tif 000004
【図４】
0006578380.tif 000005
【図５】
0006578380.tif 000006